(57)【特許請求の範囲】
【請求項１】
移動局と、固定局と、前記移動局に設けられた移動体電話機、目的地案内表示装置及び入力装置と、前記固定局に設けられた地図位置情報検索装置とを備え、前記移動局の移動体電話機から前記固定局を発呼して地図位置情報以外の目的地を特定するための情報を送信し、前記固定局において、前記移動局から送られてきた前記目的地を特定するための情報に基づき、前記地図位置情報検索装置によって地図データを検索して該当する目的地の地図位置情報を割り出して当該移動局に送信し、前記移動局において、前記固定局から送られてくる前記目的地の地図位置情報を前記目的地案内表示装置に入力することにより、当該目的地案内表示装置に目的地として示す地図表示を行わせる目的地案内システムにおいて、
前記移動局の目的地案内表示装置は、日付データ及び前記目的地案内表示装置が検出する現在地地図位置情報を用いて予め定めた暗号化ロジックに基づき暗証コードを作成する手段を有し、
前記固定局の地図位置情報検索装置は、前記移動局から送られてきた暗証コードを同じ暗号化ロジックに基づいて作成した暗証コードと照合する手段を有することを特徴とする目的地案内システム。
【請求項２】
前記移動局の目的地案内表示装置は、前記現在地地図位置情報と前記暗証コードとを表示し、又は前記移動体電話機を通じてデータとして送信する手段を有し、
前記固定局の地図位置情報検索装置は、前記移動局から送られてきた前記現在地地図位置情報と暗証コードとを受信し、前記移動局と同じ暗号化ロジックに基づいて作成した暗証コードと照合する手段を有することを特徴とする請求項１に記載の目的地案内システム。
【請求項３】
前記移動局は、車両であることを特徴とする請求項１又は請求項２のいずれかに記載の目的地案内システム。
【請求項４】
移動局から特定番号の固定局を発呼して地図位置情報以外の目的地を特定するための情報を送信し、
固定局において、前記移動局から送られてきた前記目的地を特定するための情報に基づき、地図データを検索して該当する目的地の地図位置情報を割り出して当該移動局に送信し、
前記移動局において、前記固定局から送られてくる前記目的地の地図位置情報を目的地案内表示装置に入力することにより、当該目的地案内表示装置に目的地を示す地図表示を行わせる目的地案内サービス方法において、
前記移動局において、前記目的地を特定するための情報を送信するときに、日付データ及び前記目的地案内表示装置が検出する現在地地図位置情報を用いて予め定めたロジックに基づき作成した暗証コードを送信し、
前記固定局において、前記移動局からの暗証コードを同じロジックに基づいて作成した暗証コードとを照合し、一致したときにのみ、前記地図位置情報を検索して送信することを特徴とする目的地案内サービス方法。
【請求項５】
前記移動局は、前記日付データは送信せず、
前記固定局は、自局における日付データを用い、前記移動局からの暗証コードと同じロジックに基づいて暗証コードを作成し、この暗証コードと移動局側から送られてきた暗証コードとを照合することを特徴とする請求項４に記載の目的地案内サービス方法。
【請求項６】
前記移動局は、前記目的地を特定するための情報を送信するときに、当該暗証コードと共に前記現在地地図位置情報を送信することを特徴とする請求項５に記載の目的地案内サービス方法。
【請求項７】
前記固定局は、移動局側から送られてきた前記現在地地図位置情報を用い、前記移動局側からと同じロジックに基づいて暗証コードを作成し、この暗証コードと移動局側から送られてきた暗証コードとを照合することを特徴とする請求項６に記載の目的地案内サービス方法。
【請求項８】
前記移動局は、車両であることを特徴とする請求項４〜請求項７のいずれか１項に記載の目的地案内サービス方法。
【請求項９】
移動局の移動体電話機から固定局を発呼して地図位置情報以外の目的地を特定するための情報を送信し、前記固定局から、前記目的地を特定するための情報に基づいた該当する目的地の地図位置情報を受信することにより、目的地を示す地図表示を行う目的地案内表示装置において、
移動局の現在地の地図位置情報を割り出す現在地位置情報割出し手段と、
日付データ及び現在地位置情報割出し手段により割り出された現在地地図位置情報を用いて予め定めた暗号化ロジックに基づき暗証コードを作成する手段と、前記目的地を特定するための情報の送信と共に当該暗証コードを送信する手段と、
を有することを特徴とする目的地案内表示装置。
【請求項１０】
前記移動局は、車両であることを特徴とする請求項９に記載の目的地案内表示装置。
【発明の詳細な説明】
【０００１】
【発明の属する技術分野】
本発明は、目的地案内システム、目的地案内サービス方法及び目的地案内表示装置に関する。
【０００２】
【従来の技術】
従来、車両のような移動局から情報センターのような固定局に自動車電話あるいは携帯電話のような移動体電話を利用して目的地を特定する情報を問い合わせ、固定局で問合せを受けた目的地を特定する情報に基づいて地図データを検索し、目的地を示す緯度、経度のような地図位置情報を割り出し、これを移動局に送信し、移動局のナビゲーション装置により自局の現在位置と目的地とを示すマークをし、かつ現在位置から目的地までの推奨ルートを明示する地図を表示させる目的地案内システムとして、特開平３−２９１５２２号公報に記載されたものが知られている。
【０００３】
【発明が解決しようとする課題】
このような従来の目的地案内システムでは、サービス利用者を限定する必要がある場合、利用可能者に個別の暗証コード割り当て、その暗証コードをナビゲーション装置側に記憶させ、移動体電話で固定局と通信する際に最初に暗証コードデータを移動局から固定局に送信して固定局側で照合させるか、あるいは暗証コードを移動局の利用者が音声で固定局に伝え、固定局側のオペレータが照合するかして、暗証コードの照合が成立して初めて目的地案内サービスの利用を可能にする手順を設定することが考えられる。
【０００４】
しかし、前者の手順を採用する場合、暗証コードの割り当てと各装置への組み込みが必要であり、また後者の場合、サービス利用者への暗証コード通知が必要となり、手続きが煩雑となる。
【０００５】
また、前者後者のいずれの場合も暗証コードを移動局から固定局に通知する際、暗証コードが第三者に知られてしまうと、移動局に搭載しているナビゲーション装置の機種によらず、この目的地案内サービスが無差別に利用可能になってしまう。
【０００６】
本発明は、このような従来の問題点に鑑みなされたもので、目的地案内サービスをもっと簡便に利用できると共に、利用者のメリットを確保することを目的とする。
【０００７】
【課題を解決するための手段】
請求項１の発明は、移動局と、固定局と、前記移動局に設けられた移動体電話機、目的地案内表示装置及び入力装置と、前記固定局に設けられた地図位置情報検索装置とを備え、前記移動局の移動体電話機から前記固定局を発呼して地図位置情報以外の目的地を特定するための情報を送信し、前記固定局において、前記移動局から送られてきた前記目的地を特定するための情報に基づき、前記地図位置情報検索装置によって地図データを検索して該当する目的地の地図位置情報を割り出して当該移動局に送信し、前記移動局において、前記固定局から送られてくる前記目的地の地図位置情報を前記目的地案内表示装置に入力することにより、当該目的地案内表示装置に目的地として示す地図表示を行わせる目的地案内システムにおいて、前記移動局の目的地案内表示装置は、日付データ及び前記目的地案内表示装置が検出する現在地地図位置情報を用いて予め定めた暗号化ロジックに基づき暗証コードを作成する手段を有し、前記固定局の地図位置情報検索装置は、前記移動局から送られてきた暗証コードを同じ暗号化ロジックに基づいて作成した暗証コードと照合する手段を有するものである。
【０００８】
請求項２の発明は、請求項１の目的地案内システムにおいて、前記移動局の目的地案内表示装置は、前記現在地地図位置情報と前記暗証コードとを表示し、又は前記移動体電話機を通じてデータとして送信する手段を有し、前記固定局の地図位置情報検索装置は、前記移動局から送られてきた前記現在地地図位置情報と暗証コードとを受信し、前記移動局と同じ暗号化ロジックに基づいて作成した暗証コードと照合する手段を有するものである。
【０００９】
請求項３の発明は、請求項２の目的地案内システムにおいて、前記移動局は、車両である。
【００１０】
請求項４の発明は、移動局から特定番号の固定局を発呼して地図位置情報以外の目的地を特定するための情報を送信し、固定局において、前記移動局から送られてきた前記目的地を特定するための情報に基づき、地図データを検索して該当する目的地の地図位置情報を割り出して当該移動局に送信し、前記移動局において、前記固定局から送られてくる前記目的地の地図位置情報を目的地案内表示装置に入力することにより、当該目的地案内表示装置に目的地を示す地図表示を行わせる目的地案内サービス方法において、前記移動局において、前記目的地を特定するための情報を送信するときに、日付データ及び前記目的地案内表示装置が検出する現在地地図位置情報を用いて予め定めたロジックに基づき作成した暗証コードを送信し、前記固定局において、前記移動局からの暗証コードを同じロジックに基づいて作成した暗証コードとを照合し、一致したときにのみ、前記地図位置情報を検索して送信するものである。
【００１１】
請求項５の発明は、請求項４に記載の目的地案内サービス方法において、前記移動局は、前記日付データは送信せず、前記固定局は、自局における日付データを用い、前記移動局からの暗証コードと同じロジックに基づいて暗証コードを作成し、この暗証コードと移動局側から送られてきた暗証コードとを照合するものである。
【００１２】
請求項６の発明は、請求項５に記載の目的地案内サービス方法において、前記移動局は、前記目的地を特定するための情報を送信するときに、当該暗証コードと共に前記現在地地図位置情報を送信するものである。
【００１３】
請求項７の発明は、請求項６に記載の目的地案内サービス方法において、前記固定局は、移動局側から送られてきた前記現在地地図位置情報を用い、前記移動局側からと同じロジックに基づいて暗証コードを作成し、この暗証コードと移動局側から送られてきた暗証コードとを照合するものである。
【００１４】
請求項８の発明は、請求項４〜請求項７のいずれか１項に記載の目的地案内サービス方法において、前記移動局は、車両である。
【００１５】
請求項９の発明は、移動局の移動体電話機から固定局を発呼して地図位置情報以外の目的地を特定するための情報を送信し、前記固定局から、前記目的地を特定するための情報に基づいた該当する目的地の地図位置情報を受信することにより、目的地を示す地図表示を行う目的地案内表示装置において、移動局の現在地の地図位置情報を割り出す現在地位置情報割出し手段と、日付データ及び現在地位置情報割出し手段により割り出された現在地地図位置情報を用いて予め定めた暗号化ロジックに基づき暗証コードを作成する手段と、前記目的地を特定するための情報の送信と共に当該暗証コードを送信する手段と、を有するものである。
【００１６】
請求項１０の発明は、請求項９に記載の目的地案内表示装置において、前記移動局は、車両である。
【００１９】
【発明の効果】
請求項１の発明の目的地案内システムでは、移動局から特定番号の固定局を発呼して地図位置情報以外の目的地を特定するための情報を送信すれば、固定局において、移動局から送られてきた目的地を特定するための情報に基づき、地図データを検索して該当する目的地の地図位置情報を割り出して当該移動局に送信する。そして移動局では、この固定局から送られてくる目的地の地図位置情報を目的地案内表示装置に入力することにより、当該目的地案内表示装置に目的地を示す地図表示を行わせる。
【００２０】
これと共に、移動局においては、上記の目的地を特定するための情報を送信するときに日付データ及び目的地案内表示装置が検出する現在地地図位置情報を用いて予め定めたロジックに基づき作成した暗証コードを送信し、固定局においては、この移動局からの暗証コードを同じロジックに基づいて作成した暗証コードと照合し、一致したときにのみ上記の地図位置情報を検索して送信する。
【００２１】
これにより、当該目的地案内サービスが利用できる移動局側の資格として、日付データから暗証コードを作成する共通の暗号化ロジックを組み込んでおくだけで済み、当該サービスの利用申込者に限定して個別の暗証コードを割り当てる手続をする必要がなく、しかも当該暗号化ロジックを搭載していない目的地案内表示装置では暗証コードを作成することができないので第三者が暗証コードを盗用するのも難しくして、目的地案内サービスをもっと簡便に利用できるようにすると共に利用者のメリットも確保することができる。さらに、システムコストの上昇を抑えながら、当該サービス利用の秘匿性も高くすることができる。
【００２２】
請求項２の発明の目的地案内システムでは、請求項１の発明の効果に加えて、移動局において目的地を特定するための情報を送信するときに、当該暗証コードと共に現在地地図位置情報を送信するので、利用者に個別の暗証コードを前もって割り当てなくても、暗証コードが単純にならず、秘匿性を向上させることができる。
【００２３】
請求項３の発明の目的地案内システムでは、請求項１又は請求項２のいずれかの効果に加えて、移動局を車両にしたことにより、無資格者の利用は排除しながら、資格のある車両の使用者には広く当該目的地案内サービスを利用させることができる。
【００２４】
請求項４の発明の目的地案内サービス方法では、移動局から特定番号の固定局を発呼して地図位置情報以外の目的地を特定するための情報を送信すれば、固定局において、移動局から送られてきた目的地を特定するための情報に基づき、地図データを検索して該当する目的地の地図位置情報を割り出して当該移動局に送信する。そして移動局では、この固定局から送られてくる目的地の地図位置情報を目的地案内表示装置に入力することにより、当該目的地案内表示装置に目的地を示す地図表示を行わせる。
【００２５】
これと共に、移動局においては、上記の目的地を特定するための情報を送信するときに日付データ及び目的地案内表示装置が検出する現在地地図位置情報を用いて予め定めたロジックに基づき作成した暗証コードを送信し、固定局においては、この移動局からの暗証コードを同じロジックに基づいて作成した暗証コードと照合し、一致したときにのみ上記の地図位置情報を検索して送信する。
【００２６】
これにより、当該目的地案内サービスが利用できる移動局側の資格として、日付データから暗証コードを作成する共通の暗号化ロジックを組み込んでおくだけで済み、当該サービスの利用申込者に限定して個別の暗証コードを割り当てる手続をする必要がなく、しかも当該暗号化ロジックを搭載していない目的地案内表示装置では暗証コードを作成することができないので第三者が暗証コードを盗用するのも難しくして、目的地案内サービスをもっと簡便に利用できるようにすると共に利用者のメリットも確保することができる。さらに、システムコストの上昇を抑えながら、当該サービス利用の秘匿性も高くすることができる。
【００２７】
請求項５の発明の目的地案内サービス方法では、請求項４の発明の効果に加えて、移動局が日付データは送信せず、固定局が自局における日付データを用いて暗証コードを作成して照合するので、移動局と固定局との通信時間の短縮が図れる。
【００２８】
請求項６の発明の目的地案内サービス方法では、請求項５の発明の効果に加えて、移動局は、目的地を特定するための情報を送信するときに、当該暗証コードと共に現在地地図位置情報を送信するので、利用者に個別の暗証コードを前もって割り当てなくても、暗証コードが単純にならず、秘匿性を向上させることができる。
【００２９】
請求項７の発明の目的地案内サービス方法では、請求項６の発明の効果に加えて、固定局は、移動局側から送られてきた前記現在地地図位置情報を用い、暗証コードを作成し、この暗証コードと移動局側からの暗証コードとを照合するので、暗証コードを時々刻々変化させることができ、しかも移動局と固定局との通信時間の短縮が図れる。
【００３０】
請求項８の発明の目的地案内サービス方法では、請求項４〜７のいずれか１項の効果に加えて、移動局を車両にしたことにより、無資格者の利用は排除しながら、資格のある車両の使用者には広く当該目的地案内サービスを利用させることができる。
【００３１】
請求項９の発明の目的地案内表示装置では、日付データ及び現在地位置情報割出し手段の割り出した地図位置情報を用いて予め定めたロジックに基づいて暗証コードを作成するので、この暗証コードを固定局に送信することによって固定局側で暗証コードを照合させることができ、無資格者の目的地案内サービスの利用を排除することができる。さらに、コストの上昇を抑えながら、当該サービス利用の秘匿性も高くすることができる。
【００３２】
請求項１０の発明の目的地案内表示装置では、請求項９の効果に加えて、移動局を車両にしたことにより、無資格者の利用は排除しながら、資格のある車両の使用者には広く当該目的地案内サービスを利用させることができる。
【００３５】
【発明の実施の形態】
以下、本発明の実施の形態を図に基づいて詳説する。図１は本発明の一つの実施の形態のシステム構成を示している。移動局としての車両Ａには、目的地案内表示装置としてのナビゲーション装置１、操作画面、説明画面、地図データその他の種々の情報を表示するモニター２、ＧＰＳ衛星３からの信号を受信するＧＰＳアンテナ４、ナビゲーション装置１に接続し、ハンズフリーで無線電話がかけられるハンズフリー移動体電話機５、そしてナビゲーション装置１に対して種々の入力操作を行うナビゲーション操作スイッチ６が搭載されている。
【００３６】
ナビゲーション装置１は、ナビゲーション操作スイッチ６により地図表示、ルート探索、ルートガイドその他、種々のナビゲーション機能を設定操作し、ＧＰＳアンテナ４や車両に搭載されているジャイロセンサからの信号によって現在位置を検出し、モニター２に関連するエリアの地図を表示すると共にその上に現在地、目的地を示すマークを表示し、またメニュー画面や操作画面、その他の情報を表示させることができる。
【００３７】
ナビゲーション装置１はまた、本実施の形態の特徴である暗証コードの自動作成機能として後述する特定の演算ロジックが組み込まれており、従来から組み込まれているカレンダ機能から取り込んだ現在日時データを用い、特定の演算ロジックに基づく演算によって暗証コードを作成し、モニター２に表示することができる。
【００３８】
このナビゲーション装置１に対してハンズフリー電話機５が接続され、電話番号の発信、着信応答の操作をナビゲーション装置１から行うことができる。尚、ナビゲーション装置１とハンズフリー電話機５との接続には、従来から一般的な技術が採用されている。
【００３９】
一方、固定局である情報センターＢには、目的地位置情報を検索するために必要な機器としてデータサーバー１１が備えられ、これにアクセスするための情報検索端末１２、そして多数の車両Ａその他の移動局から問合せに対応するための電話端末１３が備えられている。
【００４０】
次に、上記の構成の目的地地図表示システムによる目的地位置情報の問合せから、目的地地図表示までの一連の流れを、図２〜図５に示す機能フロー及び図６〜図１１の演算処理フローに基づいて説明する。
【００４１】
サービス利用者が車両のＡＣＣをＯＮすると、モニター２は地図表示画面になる（画面Ａ）。
【００４２】
サービス利用者がナビゲーション操作スイッチ６のメニュースイッチを押すと、画面上にメニューが現れ、その中から「行先の設定」ボタンを選択すると、プルダウンメニューが現れる（画面Ｂ）。
【００４３】
このプルダウンメニューの画面Ｂにおけるタイトルバー上の各ボタンは、次の通りである。
【００４４】
「行き先の設定」ボタンは、ルートガイドを行うための目的地や経由地を設定する際にタッチするボタンである。
【００４５】
「ルートの確認」ボタンは、設定したルートの確認や修正の際にタッチするボタンである。
【００４６】
「登録する」ボタンは、登録されている地点、軌跡、ルートの確認や修正の際にタッチするボタンである。
【００４７】
「情報を見る」ボタンは、各種情報（案内情報、高速道路情報）を見る際にタッチするボタンである。
【００４８】
「各種設定」ボタンは、各種情報の表示や設定をする際にタッチするボタンである。
【００４９】
また画面Ｂにおけるプルダウンメニューの内容は、次の通りである。
【００５０】
「お気に入り」項目を選択すると、すでに登録してあるいくつかの場所から選択する画面が展開表示される。
【００５１】
「最近の目的地から」項目を選択すると、最近目的地として設定したいくつかの場所から選択する画面が展開表示される。
【００５２】
「情報提供センターから」項目を選択すると、後述する手順によって情報センターＢに電話して目的地の地図位置情報（例えば、緯度、経度コード）を教えてもらい、そのコードを入力することによって目的地を設定することができる。
【００５３】
「５０音から」項目を選択すると、目的地の名称を文字選択によって入力するための文字画面が展開表示される。
【００５４】
「施設から」項目を選択すると、「駅」、「美術館」などのジャンル別の目的地から選択するための画面が展開表示される。
【００５５】
「電話番号から」項目を選択すると、電話番号から目的地を設定するための画面が展開表示される。
【００５６】
画面Ｂのプルダウンニューから「情報提供センターから」を選択すると、ナビゲーション装置１は予め組み込まれている暗証コード作成ロジック演算を実行し、日付データを用いて暗証コード「お客様コード」を生成し、画面Ｃを表示する。
【００５７】
この暗証コードの演算ロジックは、図６のフローチャートに示すものであり、日付データを読み込み、次のような暗号化処理を行い、お客様コードを生成する。
【００５８】
例えば、日付が１９９９年１２月３１日であれば、年の下２桁×月×日の演算式により、３６８３８（＝９９×１２×３１）を算出する。そしてこの数値の下３桁をとって、暗証コード番号として「８３８」を生成するのである。
【００５９】
画面Ｂから展開された画面Ｃには、予め登録してある情報センターの電話番号、上記の暗号化処理で得た暗証コードである「お客様コード」、そしてＧＰＳやジャイロセンサにより検出した現在地の地図位置情報を表示し、また電話番号や暗証コード等の入力のためのテンキーを表示する。
【００６０】
この画面Ｃから、画面Ｄに示すようにして「情報センター電話番号」部分をタッチする。これにより、ナビゲーション装置１はバンズフリー電話機５から予め登録されている情報センターＢの電話番号を発呼し、モニター２には発呼中を示す画面が表示される（画面Ｅ）。
【００６１】
そして情報センターＢに接続されると、通話中を示す画面が表示される（画面Ｆ）。この画面Ｆが表示されている段階で、サービス利用者と情報センターＢのオペレータとはハンズフリー電話機５、移動体電話回線、センターＢの電話端末１３を通じて、図７に示す手順でやり取りする。
【００６２】
情報センターＢに電話して情報センターのオペレータが応答するが、その最初に、電話をかけてきた利用者が有資格者であるかどうかを確かめるために、オペレータはまず暗証コードである「お客様コード」を尋ねる（ステップＳ１，Ｓ２）。
【００６３】
そこで、利用者は画面Ｆに表示されている「お客様コード」を音声で答える（ステップＳ３）。
【００６４】
オペレータはお客様コードの番号を受け取ると、情報検索端末１２にその番号を認証する（ステップＳ４）。
【００６５】
この暗証コードの認証手続きは、図８のフローチャートによる。情報検索端末１２が持っている日付データを読み込み、図６のフローチャートに示した暗号化処理を実行して情報センターＢ側でお客様コードを生成する（ステップＳ４１〜Ｓ４３）。そしてこれを情報検索端末１２の画面に表示する（ステップＳ４４）。
【００６６】
そこでオペレータは、情報検索端末１２側で生成して画面に表示されたお客様コードと、利用者が電話で伝えてきたお客様コードとを比較し、合っているかどうか判断し、利用者が伝える暗証コードが合っていない場合、契約者でないことを伝えて電話を切る（図７のフローチャートにおけるステップＳ４，Ｓ５）。
【００６７】
利用者の伝えてきた暗証コードが合っていれば、続いて、利用者に目的地を尋ね、利用者は目的地に関連する位置情報以外の情報、例えば、目的地の名称や住所、その他、情報センターＢ側で目的地を特定する情報を伝える（ステップＳ４，Ｓ６）。
【００６８】
オペレータは、利用者から受け取った目的地を特定する情報を情報検索端末１２に入力してデータサーバー１１を検索する。そして目的地の緯度、経度データのような地図位置情報が得られると、この位置情報をサービス利用者に伝える（ステップＳ７，Ｓ８）。尚、目的地位置情報の検索結果が出た後は、オペレータは電話番号案内のように音声合成装置を通して目的地位置情報をサービス利用者に伝達するようにしてもよい。サービス利用者は、オペレータから伝達される目的地位置情報のコード番号を記録しておく。そして電話を切る。
【００６９】
これにより、画面Ｇ（画面Ｃと同じ）になるが、この画面Ｇにおいて、メッセージとして指示されているように、オペレータが知らせた目的地の地図位置情報をテンキーにより入力する。入力した番号は画面Ｇ上に表示されるので、サービス利用者が正しい番号が入力されたことを確認できる。そして目的地位置情報のコード番号が正しいと確認したならば、利用者はさらに地図表示ボタンをタッチする。
【００７０】
これにより、ナビゲーション装置１側では搭載している地図データを検索し、該当する位置情報を含む地図データが見つかればモニター２に目的地周辺の地図と共に該当する地図上の位置に目的地を示すマークＭＫを表示する（画面Ｈ）。そこで、サービス利用者が地図画面で目的地の位置を確認し、ナビゲーション操作スイッチ６の決定スイッチを押すと、目的地がナビゲーション装置１の地図データ上に設定されることになる（画面Ｉ）。そしてナビゲーション装置１はルート検索を開始する（画面Ｊ）。
【００７１】
ナビゲーション装置１によるルート検索が従来同様の機能であり、ルート検索中にナビゲーション操作スイッチ６の決定スイッチを押すとルート検索を中止するが、押さなければ現在位置から目的地に到達するまでのルート検索を継続する（画面Ｋ）。
【００７２】
画面Ｋのルート検索終了画面で、利用者が決定スイッチを押すと、案内ルートが決定される。そして、ナビゲーション装置１はルート案内を開始することになる（画面Ｌ）。
【００７３】
このようにして、上記の実施の形態によれば、目的地案内サービスを利用できる利用者の資格の認証のために、情報センター側とナビゲーション装置側とに日付データから暗証コードを作成する共通の演算ロジックを組み込んでおくだけで済み、当該サービスの利用申込者に限定して個別の暗証コードを割り当てる手続をする必要がなく、しかも当該演算ロジックを搭載していないナビゲーション装置では暗証コードを作成することができないので第三者に暗証コードを自由に盗用されることもなくなり、目的地案内サービスをもっと簡便に利用できるようにすると共に利用者のメリットも確保することができる。
【００７４】
尚、上記の第１の実施の形態では、暗証コードの生成ロジック、そして暗証コードの照合に日付データだけを用いたが、さらに複雑な暗証コードを使用することもできる。例えば、日付データと共に、利用者毎に個別の時々刻々変化する情報、例えば、利用者の現在位置の地図位置情報をも用いて、所定の演算により暗証コードを生成する暗号化ロジックを採用することができる。図９はそのような場合の暗証化処理のフローチャートを示している。図９のフローチャートに示すロジックは次の通りである。
【００７５】
まず日付データを読み込み、またナビゲーション装置１がＧＰＳやジャイロセンサによる測位装置から読み込んだ現在位置データを地図位置情報に変換して得た現在地地図位置情報と読込む。そして次のような暗号化処理を行い、お客様コードを生成するのである。
【００７６】
例えば、上記同様に日付が１９９９年１２月３１日であり、現在地の地図位置情報が「１２３４５６」であれば、まず年の下２桁×月×日の演算式により、「３６８３８」（＝９９×１２×３１）を算出する。さらにこれに現在地の地図位置情報の下１桁「６」を足して、「３６８４４」（＝３６８３８＋６）を得る。そしてこの数値の下３桁をとって、暗証コード番号として「８４４」を生成するのである。
【００７７】
そして、このような暗証コードの生成ロジックを採用する場合、当該目的地案内サービスは、第１の実施の形態の場合と同様に画面Ａ〜画面Ｌの手順となる。ただし、画面Ｃにおいて暗証コードである「お客様コード」の内容が異なり、上述した図９のフローチャートによる演算処理で、「お客様コード」として「８４４」が表示されることになる。
【００７８】
そして、図３の画面Ｆでの利用者と情報センターとのやり取りは、図１０及び図１１の手順となる。情報センターＢに電話するとオペレータが応答するが、その最初に、電話をかけてきた利用者が有資格者であるかどうかを確かめるために、オペレータは「お客様コード」と現在地地図位置情報を尋ねる（ステップＳ１，Ｓ２）。そこで、利用者は画面Ｆに表示されている「お客様コード」と現在地地図位置情報とを音声で答える（ステップＳ３−１）。
【００７９】
オペレータは現在地地図位置情報の番号を受け取ると、情報検索端末１２に入力して暗証コードを生成させ、認証する（ステップＳ３−２，Ｓ４）。
【００８０】
この暗証コードの認証手続きは、図１１のフローチャートによる。情報検索端末１２が持っている日付データを読み込み、またオペレータの入力した現在地位置情報を読み込み、図９のフローチャートに示した暗号化処理を実行して情報センターＢ側でお客様コードを生成する（ステップＳ４１′〜Ｓ４３′）。そしてこれを情報検索端末１２の画面に表示する（ステップＳ４４）。
【００８１】
そこでオペレータは、情報検索端末１２側で生成して画面に表示されたお客様コードと、利用者が電話で伝えてきたお客様コードとを比較し、合っているかどうか判断し、利用者が伝える暗証コードが合っていない場合、契約者でないことを伝えて電話を切る（図１０のフローチャートにおけるステップＳ４，Ｓ５）。
【００８２】
利用者の伝えてきた暗証コードが合っていれば、続いて、利用者に目的地を尋ね、利用者は目的地に関連する位置情報以外の情報、例えば、目的地の名称や住所、その他、情報センターＢ側で目的地を特定する情報を伝える（ステップＳ４，Ｓ６）。
【００８３】
オペレータは、利用者から受け取った目的地を特定する情報を情報検索端末１２に入力してデータサーバー１１を検索する。そして目的地の緯度、経度データのような地図位置情報が得られると、この位置情報をサービス利用者に伝える（ステップＳ７，Ｓ８）。サービス利用者は、オペレータから伝達される目的地位置情報のコード番号を記録し、電話を切る。
【００８４】
以後は、第１の実施の形態と同様であり、画面Ｇ〜画面Ｌの展開となる。
【００８５】
このようにして、第２の実施の形態によれば、目的地案内サービスを利用できる利用者の資格の認証のために、情報センター側とナビゲーション装置側とに日付データと共に利用者毎に固有の時々刻々変化する情報である現在地位置情報とから暗証コードを作成する共通の演算ロジックを組み込んでおくだけで利用者を限定することができ、目的地案内サービスをもっと簡便に利用できるようにすると共に利用者のメリットも確保することができ、しかも秘匿性が向上する。
【００８６】
尚、上記の暗証コードの生成方法は上記の実施の形態に示したものに限定されるわけではなく、また用いるデータも日付データや現在地位置情報に限定されることもない。
【００８７】
また、上記の両実施の形態では、暗証コード（お客様コード）や現在地位置情報を音声にして利用者が伝えるようにしたが、これらはナビゲーション装置１が移動体電話機５を通じてディジタルデータとして送信し、またセンターからの目的地位置情報の伝達も、オペレータの音声や合成音声によらず、データとしてナビゲーション装置１に送信し、ナビゲーション装置１がそれを自動的に保存し、画面Ｇにおいて表示するようにしてもよい。
【００８８】
そしてこの場合には、ナビゲーション装置１側は、図１２に示す機能構成を追加的に備えることになり、また移動体電話機５を通じたセンターＢとのやり取りは、図１３に示す手順となる。ナビゲーション装置１は、地図情報を記憶する媒体であるＤＶＤ、ＣＤに対してアクセスして該当する地図情報を読み出す地図情報記憶部２１、ＧＰＳセンサや内蔵するジャイロ（図示せず）から自車の地球上の絶対位置を検出する測位部２２、この測位部２２の測位した位置情報に基づいて地図情報記憶部２１から現在地の周辺の地図情報を読み出してモニター２に表示し、さらにはカレンダ２３から日付時刻情報を入力し、また上述した種々のメニュー画面の表示やタッチ入力や操作スイッチ６の入力を受けてナビゲーションに必要な種々の処理を行うナビゲーション処理部２４を備え、そして本発明の特徴部分として、カレンダ２３から日付情報を受けて暗号化処理演算を行う暗号化処理部２５、そして移動体電話機５とのインタフェース２６を備えている。
【００８９】
そして、このナビゲーション装置１は、本発明に関連する目的地案内のために、図１３に示す動作を実行する。ナビゲーション装置１における暗号化処理部２５は、ナビゲーション処理部２４からカレンダ２３の日付データを取得し、図６に示した暗号化ロジックに基づいて暗証コードを作成する（ステップＳ５１，Ｓ５２）。そして算出した暗証コードを「お客様コード」としてナビゲーション処理部２４に渡し、ナビゲーション処理部２４はこれをモニター２に画面Ｃまた画面Ｇのようにして表示する（ステップＳ５３）。これと共に、ナビゲーション処理部２４は暗号化処理部２５が得た暗証コードを電話インタフェース２６から移動体電話機５を経て情報センターＢ側へデータとして送信する（ステップＳ５４）。
【００９０】
これに対して、情報センターＢ側では電話端末１３で受信した暗証コードを自動的に情報検索端末１２に表示させ、自端末側で求めた暗証コードと照合する。そして暗証コードが一致しない場合、情報検索端末１２はあるいはオペレータは電話を強制的に切断し、暗証コードの照合が成立すれば、接続を継続する。
【００９１】
そこで、ナビゲーション装置１側では、電話切断されれば１回の情報センターＢとのセッションを終了する（ステップＳ５５でＹＥＳに分岐）。しかし、電話接続が継続されれば、サービス利用者がハンズフリーの移動体電話機５で目的地を特定する情報を伝達することにより、情報センターＢのオペレータが地図検索を行い、目的地の地図位置情報を割り出し、その地図位置情報をデータとして電話端末１３から移動体電話機５、インタフェース２６を経てナビゲーション処理部２４に送信する。
【００９２】
そこで、ナビゲーション処理部２４がの目的地の地図位置情報のデータを取得すれば（ステップＳ５６）、画面Ｈに示したようにこれによって目的地を自動的に設定する（ステップＳ５７）。
【００９３】
この後は、第１、第２の実施の形態と同様にルート探索を実行し、推奨ルートが決定すれば、ルートガイドに移行することになる（ステップＳ５８，Ｓ５９）。
【００９４】
尚、図１２に示した構成により、暗号化処理部２５がナビゲーション処理部２４からカレンダ２３の日付データを取得し、また測位部２２から現在地の地図位置情報を取得するようにすれば、図９に示した暗号化ロジックにより第２の実施の形態のような暗証コードを作成して、情報センターＢに送信させることができるようになる。
【図面の簡単な説明】
【図１】本発明の１つの実施の形態のブロック図。
【図２】上記の実施の形態による情報センターとの対話による目的地設定処理の第１段のフローチャート。
【図３】上記の実施の形態による情報センターとの対話による目的地設定処理の第２段のフローチャート。
【図４】上記の実施の形態による情報センターとの対話による目的地設定処理の第３段のフローチャート。
【図５】上記の実施の形態による情報センターとの対話による目的地設定処理の第４段のフローチャート。
【図６】上記の実施の形態における移動局側の暗号化処理のフローチャート。
【図７】上記の実施の形態における移動局側と情報センターとのやり取り手順のフローチャート。
【図８】上記の実施の形態における情報センター側の暗証コードの照合処理のフローチャート。
【図９】本発明の第２の実施の形態における移動局側の暗号化処理のフローチャート。
【図１０】上記の実施の形態における移動局側と情報センターとのやり取り手順のフローチャート。
【図１１】上記の実施の形態における情報センター側の暗証コードの照合処理のフローチャート。
【図１２】本発明の第３の実施の形態における移動局側の構成を示すブロック図。
【図１３】上記の実施の形態における移動局側の目的地案内処理のフローチャート。
【符号の説明】
Ａ  車両
Ｂ  情報センター
１  ナビゲーション装置
２  モニター
４  ＧＰＳアンテナ
５  ハンズフリー電話機
６  ナビゲーション操作スイッチ
１１  データサーバー
１２  情報検索端末
１３  電話端末
２１  地図情報記憶部
２２  測位部
２３  カレンダ
２４  ナビゲーション処理部
２５  暗号化処理部
２６  電話インタフェース
【図１】
0003551126.tif 000002
【図２】
0003551126.tif 000003
【図３】
0003551126.tif 000004
【図４】
0003551126.tif 000005
【図５】
0003551126.tif 000006
【図６】
0003551126.tif 000007
【図７】
0003551126.tif 000008
【図８】
0003551126.tif 000009
【図９】
0003551126.tif 000010
【図１０】
0003551126.tif 000011
【図１１】
0003551126.tif 000012
【図１２】
0003551126.tif 000013
【図１３】
0003551126.tif 000014